(57)【要約】【課題】簡単な構成で、作業性がよくメンテナンスが容易な射出成形機の安全カバーを提供する。【解決手段】射出成形機の型締機構部、射出機構部または制御部の少なくとも何れか１つを覆う射出成形機の安全カバーの少なくとも一部が布状の素材からなる。これにより、板金で形成された安全カバーと比較して重量が軽量となるため、取り扱いが容易となる。また、安全カバーが金属製ではなくなるため、射出成形機の機構部で発生する振動と共振するといったことがなくなり、振動による騒音を軽減させることが可能となる。【選択図】図１
2016060183.tif 000002
【特許請求の範囲】
【請求項１】
射出成形機の型締機構部、射出機構部または制御部の少なくとも何れか１つを覆う射出成形機の安全カバーであって、
前記安全カバーの少なくとも一部が布状の素材から成ることを特徴とする射出成形機の安全カバー。
【請求項２】
前記安全カバーは、操作者が操作する正面側、背面側、側面側、上面側の４つの面を覆うカバーであり、前記４つの面のうちの何れかの面の少なくとも２つの面を一連のカバーとして構成することを特徴とする請求項１に記載の射出成形機の安全カバー。
【請求項３】
前記安全カバーは、ねじ、ファスナー、面ファスナー、磁石の何れかによって互いに固定されることを特徴とする請求項１または２に記載の射出成形機の安全カバー。
【請求項４】
前記安全カバーは、ロールスクリーン形式の開閉手段によって開閉されることを特徴とする請求項１〜３のいずれかに記載の射出成形機の安全カバー。
【発明の詳細な説明】
【技術分野】
【０００１】
本発明は、射出成形機の安全カバーに関し、特に射出成形機の機構部を覆う安全カバーに関する。
【０００２】
図６及び図７は、従来の射出成形機の構造を示している。図６に示されているように、ベース１０上にフレーム１４が組み立てられている。なお、１６は型締部の一部を構成する固定プラテンである。この状態から、板金製の平板を取り付けて図７のような構成とされる。このとき、フレーム１４は後述する安全扉１８のレールの役割も果たしている。
図７は、従来の射出成形機においてカバーを取り付けた状態の正面図を示している。１２はベースパネルであり、ベース内部に設けられた制御部等を覆う安全カバーである。１８ａ、１８ｂは安全扉であり、安全扉１８ａは型締装置側に設けられ、安全扉１８ｂは射出装置側に設けられている。安全扉１８（１８ａ、１８ｂ）は、いずれも射出成形機の稼働時には閉鎖されており、射出成形機を停止させ内部から成形品を取り出したり、メンテナンスを行う際などに開放される。２２は型締側上面カバー、２４は型締側正面カバーであり、３２は射出側上面カバー、３４は射出側正面カバーである。
【０００３】
図８は、図７の従来の射出成形機においてカバーを取り付けた状態の平面図を示している。２６は型締側側面カバー、２８は型締側背面カバー、３６は射出側側面カバー、３８は射出側背面カバーである。また、１８ｃは背面側に設けられた安全扉である。この安全扉１８ｃについても、射出成形機の稼働時には閉鎖されている。図８に示されているように、射出成形機において全体をカバーで覆うためには、型締装置側、射出装置側のそれぞれにおいて、正面側、上面側、側面側、背面側の４面、すなわち両方合わせて８面の安全カバーが必要となる。これらの安全カバーは板金によって形成されている。
【０００４】
これらの安全カバーで射出成形機の型締装置側、射出装置側を覆うことによって、外部から射出成形機の動作時に機構部や電装品に直接触れることができないようにしたり、内部部品が飛散することを防止することによる安全性の向上と、動作時のグリスや加工液等の飛散防止、射出成形機において火災等が発生したときの外部への燃焼の防止、騒音の防止、型締装置や射出装置を覆って直接見えないようにすることによる美観性の向上を図ることができる。このように射出成形機の稼働時の安全性を高めるなどのために用いられている安全カバーであるが、機構部のメンテナンス等の際に取り外すことがある。
【０００５】
また、特許文献１には射出成形機の機構部の一部にジャバラ状の防塵部材を設ける技術が開示されている。
【先行技術文献】
【特許文献】
【０００６】
【特許文献１】特開２００２−３５５８４１号公報
【発明の概要】
【発明が解決しようとする課題】
【０００７】
従来の板金製のカバーは、射出成形機が小型の場合にはカバーの重量も軽いため容易に作業を行うことが可能であるが、射出成形機が大型化するにつれて、１人では外せない程度の大きさと重量となり、複数人による作業が必要となったりクレーンが必要となって作業性が悪くなるおそれがある。
また、特許文献１に開示されている技術は、射出成形機の機構部の一部にジャバラ状の防塵部材を設けたものであるが、かかる防塵部材の材質等は不明である。
【０００８】
そこで本発明は、簡単な構成で、作業性がよくメンテナンスが容易な射出成形機の安全カバーを提供することを目的とする。
【課題を解決するための手段】
【０００９】
本願の請求項１に係る発明では、射出成形機の型締機構部、射出機構部または制御部の少なくとも何れか１つを覆う射出成形機の安全カバーであって、前記安全カバーの少なくとも一部が布状の素材から成ることを特徴とする射出成形機の安全カバーが提供される。
請求項１に係る発明では、射出成形機の安全カバーの少なくとも一部を布状の素材で形成したことによって、板金で形成された安全カバーと比較して重量が軽量となるため、取り扱いが容易となる。また、安全カバーが金属製ではなくなるため、射出成形機の機構部で発生する振動と共振するといったことがなくなり、振動による騒音を軽減させることが可能となる。
【００１０】
本願の請求項２に係る発明では、前記安全カバーは、操作者が操作する正面側、背面側、側面側、上面側の４つの面を覆うカバーであり、前記４つの面のうちの何れかの面の少なくとも２つの面を一連のカバーとして構成することを特徴とする請求項１に記載の射出成形機の安全カバーが提供される。
請求項２に係る発明では、安全カバーを構成する面の複数面を一連のカバーとして構成することによって、安全カバーを互いに固定する箇所を減少させることができ、内部部品が飛散した場合の保護や、グリスや加工液の飛散防止の効果をより高めることが可能となる。
【００１１】
本願の請求項３に係る発明では、前記安全カバーは、ねじ、ファスナー、面ファスナー、磁石の何れかによって互いに固定されることを特徴とする請求項１または２に記載の射出成形機の安全カバーが提供される。
請求項３に係る発明では、安全カバーがねじ、ファスナー、面ファスナー、磁石の何れかによって互いに固定されることによって、簡単な方法で安全カバーを互いに固定することが可能となる。
【００１２】
本願の請求項４に係る発明では、前記安全カバーは、ロールスクリーン形式の開閉手段によって開閉されることを特徴とする請求項１〜３のいずれかに記載の射出成形機の安全カバーが提供される。
請求項４に係る発明では、安全カバーがロールスクリーン形式の開閉手段によって開閉されることによって、機構部のメンテナンスを行う場合などの安全カバーの開閉を容易に行うことが可能となる。
【発明の効果】
【００１３】
本発明により、簡単な構成で、作業性がよくメンテナンスが容易な射出成形機の安全カバーを提供することができる。
【図面の簡単な説明】
【００１４】
【図１】本発明の実施形態における射出成形機の正面図である。
【図２】本発明の別の実施形態における射出成形機の平面図である。
【図３】カバー支柱およびカバー支持部材を側面側から見た図である。
【図４】カバーの複数面が一連となるカバーで形成された安全カバーの例を示した図である。
【図５】カバーの４面全てが一連となるカバーで形成された安全カバーの例を示した図である。
【図６】従来の射出成形機のフレーム構造を示した図である。
【図７】従来の射出成形機においてカバーを取り付けた状態の正面図である。
【図８】従来の射出成形機においてカバーを取り付けた状態の平面図である。
【発明を実施するための形態】
【００１５】
以下、本発明の実施形態を図に基づいて説明する。本実施形態の従来技術との相違点は、射出成形機の動作時に覆うカバーとして、板金で形成されていた型締側側面カバー、型締側背面カバー、射出側側面カバー、射出側背面カバー等の安全カバーを、いずれも布製の安全カバーとした点である。
【００１６】
図１は、本発明の実施形態における射出成形機の正面図である。従来技術と同様の構成については、同じ符号を付して説明を省略する。図１において、４２は型締側外側カバー、４４は型締側内側カバー、５２は射出側外側カバー、５４は射出側内側カバーであり、６４は射出成形機の正面側から背面側にわたって設けられているカバー支柱である。
【００１７】
図１においては、いずれのカバーも上面側から側面側にわたって一連となるカバーで形成されており、カバー支柱６４によって支持されるように形成されている。図１に示されているように、本実施形態においては、型締側、射出側のいずれも外側カバー、内側カバーの二重構造でカバーを設けるようにされている。また、それぞれの作業者が作業する正面側と背面側にも、図示しないカバーが設けられており、後述するようにファスナー等の固着手段によって、上面側から側面側にわたって一連となるカバーと互いに固定されるように形成される。
それぞれの布製の安全カバーの材質としては、強度の強い布である、ターポリン、エステル帆布、トロマット、スウェード、バックサテン等を用いることができる。
【００１８】
図２は、本発明の別の実施形態における射出成形機の平面図である。４２が型締側外側カバー、４４が型締側内側カバー、５２が射出側外側カバー、５４が射出側内側カバーを指しているのは図１と同様であるが、本実施形態においては、正面側、側面側、背面側にわたって一連となるカバーで形成されている。また、６０は射出成形機の上面側から下面側にわたって設けられているカバー支柱、６２はカバー支柱６０から突出しているカバー支持部材である。図３は、カバー支柱６０およびカバー支持部材６２を側面側から見た図であり、カバー支柱６０からカバー支持部材６２が突出するように構成されている。図２に示されているように、外側カバーである型締側外側カバー４２、射出側外側カバー５２については、カバー支柱６０に掛けるようにして支持されており、内側カバーである型締側内側カバー４４、射出側内側カバー５４については、カバー支持部材６２に掛けるようにして支持されている。また、上面側にも図示しないカバーが設けられている。
【００１９】
カバー支柱（６０，６４）は円柱形状に形成されており、これにより外側カバーを掛けた状態としたときであっても、外側に尖った部分がなくなるため安全性を高めることが可能となる。また、それぞれのカバーの端部においては、カバー支柱（６０，６４）等にねじ止め、ファスナー、面ファスナー、磁石等で固定することが可能である。
【００２０】
図４は、カバーの複数面が一連となるカバーで形成された安全カバーの例を示した図である。図４（ａ）は正面側、側面側、背面側の３面を一連として形成したカバーに、残りの１面を別カバーとして構成した例である。図４（ｂ）及び図４（ｃ）は２面を一連として形成したカバーを２種類組み合わせて構成した例であり、図４（ｂ）は正面側と上面側の２面を一連とし、残りの背面側と側面側を一連とした例、図４（ｃ）は正面側と側面側の２面を一連とし、残りの上面側と背面側を一連とした例である。図４（ｄ）は２面を一連として形成したカバーと、残りの２面を１面ずつ別カバーとして構成した例であり、上面側と側面側の２面を一連として構成されている。いずれの例においても、異なるカバー間は、ねじ止め、ファスナー、面ファスナー、磁石等の固定手段によって固定することができる。
【００２１】
図５は、カバーの４面全てが一連となるカバーで形成された安全カバーの例を示した図である。この例においても、離れているカバーの間は、ねじ止め、ファスナー、面ファスナー、磁石等の固定手段７０によって固定することができる。
また、これまでの実施形態においては、型締装置や射出装置を覆うカバーで説明してきたが、ベース内部に設けられた制御部等を覆う安全カバーであるベースパネル１２にも、本実施形態の布製のカバーを適用することが可能である。
【００２２】
これらの安全カバーにおいては、離れているカバーの間や、カバーと支柱との間をねじ止め、ファスナー、面ファスナー等の固定手段によって固定しているが、容易に開閉したい場合など、ロールスクリーン形式に構成して、必要に応じて開閉させるようにすることも可能である。ロールスクリーンとしては、従来公知のロールスクリーンを用いることができ、ロールスクリーン装置及び巻き取ったカバーを巻き取る機構を備えた巻き取り部を、カバー支柱（６０，６４）に固定し、カバーの端部に開閉するためのコード等を取り付けて、コードへの操作によってカバーの開閉動作を行うことが可能である。また、開閉動作は手で行うこともできるし、射出成形機が大型となった場合には、電動機や空圧シリンダなどを用いて開閉させるようにすることも可能である。
【００２３】
なお、これまでの説明においては、射出成形機の型締側、射出側のいずれのカバーのすべてを布製としたものとして説明したが、型締側、射出側のいずれかのみを布製としたり、一部のみを布製とするといったような構成とすることも可能である。また、金属面の外部を布製のカバーで覆ったり、布の中に金属を折り込んだりするといった構成とすることも可能である。
【００２４】
また、これまでの説明においては、安全カバーを外側と内側の二重構造とした例で説明してきたが、一重とすることもできるし、さらに三重以上にして強度を確保することも可能である。
【符号の説明】
【００２５】
１０  ベース
１２  ベースパネル
１４  フレーム
１６  固定プラテン
１８  安全扉
２２  型締側上面カバー
２４  型締側正面カバー
３２  射出側上面カバー
３４  射出側正面カバー
４２  型締側外側カバー
４４  型締側内側カバー
５２  射出側外側カバー
５４  射出側内側カバー
６０  カバー支柱
６２  カバー支持部材
６４  カバー支柱
７０  ファスナー（固定手段）
【図１】
2016060183.tif 000003
【図２】
2016060183.tif 000004
【図３】
2016060183.tif 000005
【図４】
2016060183.tif 000006
【図５】
2016060183.tif 000007
【図６】
2016060183.tif 000008
【図７】
2016060183.tif 000009
【図８】
2016060183.tif 000010